(57)【要約】先端側に注射針が設けられていて薬液が充填される円筒状のシリンダ（７）と、シリンダ（７）の先端側に設けられた係合部（１３）と、シリンダ（７）の後端に設けられたフィンガーグリップ（９）とを備えた容器兼用注射器（１）であって、円筒形状を有しシリンダ（７）の外周に装着され先端方向に移動した際に注射針（１０）の全域を覆うセーフティーデバイス（３）を備える。このセーフティーデバイス（３）に、押圧リング（５）によって径方向内側に撓み係合部（１３）と係合してセーフティーデバイス（３）の後端方向への移動を阻止する戻り防止ストッパー（２７）と、係合部（１３）と係合してセーフティーデバイス（３）の先端方向への移動を阻止する外れ防止ストッパー（２５）とを設ける。
2008133305.tif 000002
【特許請求の範囲】
【請求項１】
先端側に注射針が設けられていて薬液が充填される円筒状のシリンダと、前記シリンダの先端側に設けられた係合部と、前記シリンダの後端側に設けられたフィンガーグリップとを備えた容器兼用注射器において、
円筒形状を有し、前記シリンダの外周に摺動可能に装着され先端方向に移動した際に注射針の全域を覆うセーフティーデバイスを備え、
このセーフティーデバイスの内周壁には、前記セーフティーデバイスが前記注射針の全域を覆う位置で前記係合部と係合し、前記セーフティーデバイスの後端方向への移動を阻止する戻り防止ストッパーと、
前記戻り防止ストッパーよりも後端側に形成されていて、前記セーフティーデバイスが前記注射針の全域を覆う位置で前記係合部と係合し、セーフティーデバイスの先端方向への移動を阻止する外れ防止ストッパーとが、設けられている容器兼用注射器。
【請求項２】
前記戻り防止ストッパー又は外れ防止ストッパーは弾性変形可能とされ、前記セーフティーデバイスの外周に押圧リングが摺動可能に装着され、この押圧リングによって前記戻り防止ストッパー又は前記外れ防止ストッパーを押圧して径方向内側に突出させる請求項１に記載の容器兼用注射器。
【請求項３】
前記戻り防止ストッパーは後端方向に向かって前記セーフティーデバイスの内面に突出するように形成された傾斜面を有し、
前記外れ防止ストッパーは、先端方向に向かって前記セーフティーデバイスの内面に突出するように形成された傾斜面を有する請求項１に記載の容器兼用注射器。
【発明の詳細な説明】
【技術分野】
【０００１】
本発明は、注射終了後に注射針を覆い安全性を確保するために用いられるセーフティーデバイスを備えた容器兼用注射器に関する。
本願は、２００７年４月２４日に日本に出願された特願２００７−１１４０５１号に基づき優先権を主張し、その内容をここに援用する。
【背景技術】
【０００２】
容器兼用注射器は、予め薬液が充填されているため、医療機関において煩雑な操作をすることなく、包装から取り出して直ぐに使用できるので、利便性に優れ、医師や看護師等の医療業務に携わる者の作業の軽減に大変に役立つ。このため、多くの医療施設で採用されるようになって来ている。
ところで、従来から医療業務に携わるものが注射器を使用した際に、穿刺後の注射針を誤って自らに刺してしまうことがあり、その穿刺を原因としたウイルス感染が懸念されている。そのため、患者に注射した後の注射針を安全に処理することを目的として、注射後の注射針を円筒状のカバーで覆って注射針の不用意な接触を防止するセーフティーデバイスを備えた注射器が考案されている。例えば特許文献１に記載の注射器によれば、セーフティーデバイスの後端の内壁面と、注射器の先端側に設けられた係合部の外周部とが、注射針を覆う位置で摩擦的に係合し固定される構造となっている。
【特許文献１】特開２００１−２９３３４号公報
【発明の開示】
【発明が解決しようとする課題】
【０００３】
しかしながら、上述した従来のセーフティーデバイスを備えた注射器においては、セーフティーデバイスが係合部との摩擦によって簡易に取り付けられているに過ぎないため、セーフティーデバイスが強固に固定されず安定しないばかりか、場合によってはセーフティーデバイスが注射器から外れてしまうという問題があった。【０００４】
この発明はこのような課題に鑑みて、注射器に確実に固定され、注射終了後の注射針を確実にカバーして不用意に外れないようにしたセーフティーデバイスを備えた容器兼用注射器の提供することを目的とする。
【課題を解決するための手段】
【０００５】
前記課題を解決するため、この発明は以下の手段を提案している。
即ち、本発明に係る容器兼用注射器は、先端側に注射針が設けられていて薬液が充填される円筒状のシリンダと、前記シリンダの先端側に設けられた係合部と、前記シリンダの後端側に設けられたフィンガーグリップとを備えた容器兼用注射器において、円筒形状を有し、前記シリンダの外周に摺動可能に装着され先端方向に移動した際に注射針の全域を覆うセーフティーデバイスを備える。このセーフティーデバイスの内周壁には、前記セーフティーデバイスが前記注射針の全域を覆う位置で前記係合部と係合し、前記セーフティーデバイスの後端方向への移動を阻止する戻り防止ストッパーと、前記戻り防止ストッパーよりも後端側に形成されていて、前記セーフティーデバイスが前記注射針の全域を覆う位置で前記係合部と係合し、セーフティーデバイスの先端方向への移動を阻止する外れ防止ストッパーとが、設けられている。【０００６】
シリンダの外周に装着されているセーフティーデバイスを先端方向に移動させると、戻り防止ストッパーが係合部に接触し、戻り防止ストッパーが係合部によって撓んで内周を拡径させ、戻り防止ストッパーが係合部を乗り越える。セーフティーデバイスが注射針を完全に覆う位置まで移動すると、外れ防止ストッパーと係合部が係合しセーフティーデバイスのそれ以上の先端方向への移動が阻止される。この状態でセーフティーデバイスを後端方向へ移動させようとしても、戻り防止ストッパーと係合部とが係合するためその移動は阻止される。すなわち、一旦セーフティーデバイスによって注射針が覆われれば、係合部が外れ防止ストッパー及び戻り防止ストッパーによって先端側および後端側から挟まれるために、セーフティーデバイスが容器本体注射器に完全に固定される。その結果、セーフティーデバイスが容器兼用注射器から外れたり、後端方向に移動して注射針が露出したりすることはない。【０００７】
また、本発明に係る容器兼用注射器においては、前記戻り防止ストッパー又は外れ防止ストッパーは弾性変形可能とされ、前記セーフティーデバイスの外周に押圧リングが摺動可能に装着され、この押圧リングによって前記戻り防止ストッパー又は前記外れ防止ストッパーを押圧して径方向内側に突出させるようにしてもよい。【０００８】
通常はセーフティーデバイスの内側に突出していない戻り防止ストッパー又は外れ防止ストッパーが、押圧リングによって径方向外側から押圧されたときのみ内側に突出する。従って、セーフティーデバイスを容器兼用注射器本体の先端側から容器兼用注射器本体に装着する際には、戻り防止ストッパー又は外れ防止ストッパーを内側に突出していない状態にしておくことによって、戻り防止ストッパー又は外れ防止ストッパーが係合部に当接することはない。そのため、セーフティーデバイスを、その移動が阻止されることはなく容器兼用注射器本体に容易に装着することが可能となる。【０００９】
また、前記戻り防止ストッパーは後端方向に向かって前記セーフティーデバイスの内面に突出するように形成された傾斜面を有し、前記外れ防止ストッパーは、先端方向に向かって前記セーフティーデバイスの内面に突出するように形成された傾斜面を有してもよい。【００１０】
これにより、セーフティーデバイスを容器兼用注射器本体の先端方向に移動する際には、戻り防止ストッパーの傾斜面が係合部に当接し、セーフティーデバイスの内周を容易に撓ませることによって、戻り防止ストッパーが係合部を速やかに乗り越えることができる。
一方、セーフティーデバイスを容器兼用注射器本体の先端方向から装着する際には、外れ防止ストッパーの傾斜面が係合部に当接し、セーフティーデバイスの内周を容易に撓ませることによって、外れ防止ストッパーが係合部を速やかに乗り越えることができる。
【発明の効果】
【００１１】
本発明に係る容器兼用注射器によれば、容器兼用注射器本体の係合部とセーフティーデバイスの戻り防止ストッパー及び外れ防止ストッパーが係合し、容器兼用注射器本体とセーフティーデバイスが確実に固定されるために、注射終了後の注射針をセーフティーデバイスで確実にカバーして安全に処理することが可能となる。
【図面の簡単な説明】
【００１２】
【図１】本発明の一実施形態に係る容器兼用注射器の一部断面図である。
【図２】図１における係合部、戻り防止ストッパー及び外れ防止ストッパー付近の拡大図である。
【図３】容器兼用注射器本体の縦断面図である。
【図４】セーフティーデバイス本体の縦断面図である。
【図５】図４におけるＡ−Ａ断面図である。
【図６】図４におけるＢ−Ｂ断面図である。
【図７】図４におけるＣ−Ｃ断面図である。
【図８】図４における戻り防止ストッパー付近の矢印Ｄに沿った矢視図である。
【図９Ａ】押圧リングの側面図である。
【図９Ｂ】押圧リングの平面図である。
【図１０】セーフティーデバイスの縦断面図である。
【図１１Ａ】セーフティーデバイスを容器兼用注射器本体に装着させる手順の説明図である。
【図１１Ｂ】セーフティーデバイスを容器兼用注射器本体に装着させる手順の説明図である。
【図１１Ｃ】セーフティーデバイスを容器兼用注射器本体に装着させる手順の説明図である。
【図１２】本発明の第四変形例においてセーフティーデバイスを容器兼用注射器本体に固定する機構の説明図である。
【図１３】本発明の第五変形例における戻り防止ストッパー付近の断面図である。
【符号の説明】
【００１３】
１  容器兼用注射器、２  容器兼用注射器本体、３  セーフティーデバイス、４  セーフティーデバイス本体、  ５  押圧リング、  ７  シリンダ、  ８  筒先、  ９  フィンガーグリップ、１０  注射針、  １３  係合部、  ２５  外れ防止ストッパー、  ２７  戻り防止ストッパー
【発明を実施するための最良の形態】
【００１４】
以下、本発明に係る容器兼用注射器の一実施形態について、図１から図１３を用いて説明する。図１に示すように、本実施形態における容器兼用注射器１は、容器兼用注射器本体２と、セーフティーデバイス本体４及び押圧リング５からなるセーフティーデバイス３とから構成される。また以下では、図１において容器兼用注射器本体２の軸線Ｏに沿って、注射針１０が備えられた上側を先端、フィンガーグリップ９が備えられた下側を後端と表す。【００１５】
図３に示すように、容器兼用注射器本体２は、シリンダ７と、シリンダ７の先端側の外周に嵌着された筒先８と、シリンダ７の後端側の外周部に嵌着された合成樹脂製のフィンガーグリップ９と、前記筒先８の先端に設けたルアーロック部１２に装着された注射針１０とから構成される。【００１６】
シリンダ７は例えば透明なガラス製であって、軸線Ｏに沿って伸びる円筒形状を有する。シリンダ７には、軸線方向の所定の長さにわたって外側に膨出したバイパス路７ｃが形成され、シリンダ７の先端側及び後端側、バイパス路７ｃの直ぐ後端側の計３つの箇所にストッパー（図示省略）を備え、薬液が封止されている。また、シリンダ７の後端側から挿入されたプランジャロッド（図示省略）の先端部が後端側のストッパーにねじ込まれて連結されている。【００１７】
筒先８は、例えば透明な合成樹脂材料で構成され、図３に示すように、シリンダ７の内径と等しいか僅かに大きい内径を有しストッパ（図示省略）が入り込むバイパスチャンバー１１ａを設けた円筒部１１と、円筒部１１の先端に一体に形成され、内孔がバイパスチャンバー１１ａに連通された注射針１０の取付部である円筒状のルアーロック部１２と、円筒部１１の後端にそれより大径として一体に形成された円筒状の係合部１３と備え、係合部１３の内穴１４をシリンダ７の先端部７ａの外周に嵌合してシリンダ７に嵌着されている。また係合部１３の先端側は段部が形成された係合段部１３ａとされ、後端側は係合端部１３ｂとされている。【００１８】
フィンガーグリップ９は、円筒形状を有する嵌着部９ａの後端部に嵌着部９ａの径方向外側に延びるフランジ９ｂを一体に形成してなり、嵌着部９ａがシリンダ７の後端７ｂの外周部に嵌着されている。【００１９】
以上のような構成の容器兼用注射器本体２には、予め薬液が充填されているため、使用時には包装から取り出して直ぐに使用することができる。また、このような容器兼用注射器本体２の外周には、セーフティーデバイス本体４と押圧リング５からなるセーフティーデバイス３が装着される。【００２０】
セーフティーデバイス本体４は、例えばポリプロピレン等の透明で適度な可撓性を有する材質によって強度が維持できる範囲で薄く成形され、図１に示すように容器兼用注射器本体と同一の軸線Ｏを長手方向とした略円筒状の形状を有している。【００２１】
図４及び図５に示すように、セーフティーデバイス本体４の内周壁４ａには、後端から先端に向かって所定の距離まで軸線Ｏに沿って延びるとともに径方向内側に向かって凸形の断面を有するリブ２４が、周方向に均等に間隔を空けて例えば計１２本設けられている。また、内周壁４ａのリブ２４よりも先端側には、先端方向に向かって内周壁４ａを縮径させるように形成された傾斜面２５ａと、傾斜面２５ａの頂点から内周壁に向かう、内周壁に垂直な係合面２５ｂとを有する外れ防止ストッパー２５が、図６に示すように周方向に均等に間隔を空けて例えば計４つ設けられている。さらに、内周壁４ａの周方向に沿って隣り合う２つの外れ防止ストッパー２５のそれぞれの中間位置には、軸線Ｏに沿って延び、セーフティーデバイス本体４の内周壁４ａと外周壁４ｂを連通するように開口された計４つのスリット２６が設けられている。【００２２】
そして、図２に示すように、セーフティーデバイス本体４の外周壁４ｂの外れ防止ストッパー２５及びスリット２６よりも先端側には、後端方向に向かって外周壁４ｂを拡径させるように傾斜した外周面２７ａと、外周面２７ａから径方向内側に向かう係合面２７ｂと、外周面２７ａの裏側に位置しセーフティーデバイス本体４の内周壁４ａと同一面をなす内周面２７ｃとを有する戻り防止ストッパー２７が、図７に示すように対向して例えば計２つ設けられている。戻り防止ストッパー２７は、図４の戻り防止ストッパー２７付近の矢印Ｄに沿った側面図である図８に示されるように、外周面２７ａの後端側と周方向両側の三方向が、内周壁４ａと外周壁４ｂを連通するように切り欠いたコの字スリット２８に囲まれている。コの字スリット２８によって、戻り防止ストッパー２７は外周面２７ａの先端側においてのみセーフティーデバイス本体４の外周壁４ｂと接続された構造となっており、この接続箇所２９には凹溝２９ａが形成されている。その結果、戻り防止ストッパー２７に径方向外側から力が加えられた際には、接続箇所２９の凹溝２９ａを支点として戻り防止ストッパー２７がセーフティーデバイス本体４の内側に向かって板バネ状に撓むような構成となっている。【００２３】
また、各戻り防止ストッパー２７のコの字スリット２８の後端側及び接続箇所２９の先端側には、戻り防止ストッパー２７を先端側及び後端側から挟むようにリング二次停止突起３２ａ、３２ｂが設けられている。先端側に位置するリング二次停止突起３２ｂは後端方向に向かって外周壁４ｂを拡径させるように形成された傾斜を有している。また、先端側のリング停止突起３２ｂのさらに先端側に位置するセーフティーデバイス本体４の外周壁４ｂには、径方向外側に向かって突出したリング一次停止突起３３が、周方向の対向する位置に計二つ設けられている。【００２４】
押圧リング５は、図９Ａ及びＢに示すように、セーフティーデバイス本体４よりも軸線Ｏ方向の長さが十分に短い円筒形状を有しており、セーフティーデバイス本体４と同様に、例えばポリプロピレン等の透明で適度な可撓性を有する材質によって強度が維持できる範囲に薄く成形されている。また押圧リング５の内周壁５ａの後端側は内周壁が拡径するように傾斜した形状を有しており、外周壁５ｂには軸線Ｏに沿って延び径方向外側に向けて突出した滑り防止のための縦リブ３５が複数形成されている。なお、押圧リング５の内径は、セーフティーデバイス本体４の外径と略同一か、または僅かに大きなものとなっている。また、押圧リング５には、可撓性を高めるために、軸線Ｏに沿ってスリットが設けられてもよい。【００２５】
次に、容器兼用注射器１の組み立て方法及び使用方法について説明する。
まず、セーフティーデバイス本体４の先端側から、その外周壁４ｂに押圧リング５の内周壁５ａを嵌め込み後端方向にスライドさせると、押圧リング５はその可撓性によってリング一次停止突起３３を越えて、押圧リング５の後端がリング停止突起３２ｂの傾斜面に接触して停止する。この状態で、図１０に示すように、後端側への移動がリング停止突起３２ｂの傾斜面により阻止され、先端側への移動がリング一次停止突起３３により阻止されることによって、押圧リング５は多少の力では移動されない程度にセーフティーデバイス本体４に支持され、セーフティーデバイス３が形成される。【００２６】
セーフティーデバイス３は、図１１Ａに示す薬液の充填が済んで注射針にプロテクター３６が装着された状態の容器兼用注射器本体２に装着される。セーフティーデバイス３の後端を容器兼用注射器本体２のプロテクター３６の先端側から容器兼用注射器本体２の後端方向に向かってスライドさせると、外れ防止ストッパー２５の傾斜面２５ａが係合部１３の係合段部１３ａに当接する。この際、傾斜面２５ａが係合部１３によって撓んでセーフティーデバイス３の内周を拡径させながら係合部１３を乗り越える。なお、外れ防止ストッパー２５の周辺にはスリット２６が設けられており可撓性が高められているため、外れ防止ストッパー２５は容易に係合部１３を乗り越えることができる。この状態においては、セーフティーデバイス本体４の内周壁４ａには他の突起はないため、セーフティーデバイス本体４の後端がフィンガーグリップ９のフランジ９ｂに当接されるまでセーフティーデバイス３は容易にスライドされ、その結果、容器兼用注射器本体２へのセーフティーデバイス３の装着が完了する。この状態を図１１Ｂに示す。またこの時、セーフティーデバイス本体４の後端側の内周壁４ａに設けられたリブ２４が、フィンガーグリップ９の嵌着部９ａの外周に適度な力で食い込んでセーフティーデバイス３が固定される。【００２７】
続いて、押圧リング５に後端方向に向けて押し込むように力をかけると、押圧リング５はリング停止突起３２ｂの傾斜を越えてセーフティーデバイス本体４の外周上を後端方向へ移動し、戻り防止ストッパー２７の外周面２７ａに当接しながらさらに後端方向へ移動し、リング二次停止突起３２ａに先端側から接触することによってその移動が停止される。このとき、押圧リング５の内周壁５ａによって戻り防止ストッパー２７の外周面２７ａが径方向内側に向かって押圧され、接続箇所２９の凹溝２９ａを支点として、戻り防止ストッパー２７がセーフティーデバイス本体４の内側に向かって板バネ状に撓む。これによって、図１１Ｃに示すように、戻り防止ストッパー２７の内周面２７ｃが、後端方向に向かって内周壁４ａを縮径させるように傾斜し、セーフティーデバイス本体４の内周壁４ａから突出する。【００２８】
以上のように構成された容器兼用注射器１によって患者に対して薬液の投与がなされる。使用後の容器兼用注射器１にプロテクター３６を装着しない状態で、セーフティーデバイス３に容器兼用注射器本体２の先端側に向けて力を加えると、セーフティーデバイス３がフィンガーグリップ９から抜けて容器兼用注射器本体２の先端に向けて移動する。このとき、戻り防止ストッパー２７の内周面２７ｃが係合部１３の係合端部１３ｂに当接するが、セーフティーデバイス３自体が可撓性の材質で構成されているため、係合部１３によって内周面２７ｃが撓んでセーフティーデバイス３の内周を拡径させることで、戻り防止ストッパー２７の内周面２７ｃが係合部１３を乗り越える。【００２９】
その後、図１に示すように、注射針１０の周囲がセーフティーデバイス３によって完全に覆われる位置まで移動すると、図２に示すように外れ防止ストッパー２５の係合面２５ｂと係合部１３の係合端部１３ｂとが係合し、セーフティーデバイス３のそれ以上の先端方向への移動が阻止される。さらに、この状態でセーフティーデバイス３を後端方向へ移動させようとしても、戻り防止ストッパー２７の係合面２７ｂと係合部１３の係合段部１３ａとが係合するためその移動は阻止される。すなわち、一旦セーフティーデバイス３によって注射針１０が覆われれば、係合部１３が外れ防止ストッパー２５及び戻り防止ストッパー２７によって先端側および後端側から挟まれるために、セーフティーデバイス３が容器兼用注射器本体２に完全に固定される。その結果、セーフティーデバイス３が先端方向に進み過ぎて容器兼用注射器本体２から外れたり、後端方向に移動して注射針１０が露出したりすることはない。【００３０】
以上のように、本実施形態に係る容器兼用注射器１によれば、容器兼用注射器本体２の係合部１３とセーフティーデバイス３の戻り防止ストッパー２７及び外れ防止ストッパー２５が係合し、容器兼用注射器本体２とセーフティーデバイス３とが強固に固定されるために、セーフティーデバイス３が容器兼用注射器本体２から不用意に外れることはなく、注射終了後の注射針１０をセーフティーデバイス３で確実にカバーして安全に処理することが可能となる。【００３１】
また、セーフティーデバイス３を容器兼用注射器本体２に先端側から装着する際には戻り防止ストッパー２７は内側に突出していないため、セーフティーデバイス３の移動を妨げることはない。その結果、セーフティーデバイス３を、容器兼用注射器本体２に容易に装着することが可能となる。【００３２】
また、セーフティーデバイス３を容器兼用注射器本体２に装着した際には、リブ２４とフィンガーグリップ９によってセーフティーデバイス３が固定されるため、容器兼用注射器１によって患者に注射する際の取り扱いに支障を与えることはない。【００３３】
以上、本発明である容器兼用注射器１の実施形態について詳細に説明したが、本発明は、その技術的思想を逸脱しない限り、これらに限定されることはなく、多少の設計変更等も可能である。例えば、第一変形例として、シリンダ７と筒先８は一体となった構造であってもよい。【００３４】
また、第二変形例として、容器兼用注射器の組み立て時に、フィンガーグリップ９と共にセーフティーデバイス３をシリンダ７の後端側から装着してもよく、あるいは、フィンガーグリップ９を着脱自在とし、フィンガーグリップ９をシリンダ７から離脱させてシリンダ７の後端側からセーフティーデバイス３を装着させてもよい。これにより、当初から戻り防止ストッパー２７が内側に突出した構造のセーフティーデバイス３であっても、その移動が妨げられることはなく、容器兼用注射器本体２に容易に装着することが可能となる。【００３５】
また、第三変形例として、外れ防止ストッパー２５を弾性変形可能とし、戻り防止ストッパー２７が内側に突出したセーフティーデバイス３としてもよい。この場合、使用後にセーフティーデバイス３を先端側から容器兼用注射器１に挿入して外れ防止ストッパー２５を弾性変形させて係合部１３を乗り越えさせることにより、係合部１３と戻り防止ストッパー２７及び外れ防止ストッパー２５が係合すると共に、セーフティーデバイス３が注射針１０を覆うようにしてもよい。【００３６】
また、第二変形例、第三変形例の場合、押圧リング５で戻り防止ストッパー２７又は外れ防止ストッパー２５を押圧してもよいし、押圧リング５を設けてもよいし、これら第二変形例及び第三変形例においては、セーフティーデバイス３の装着に伴う移動方向が一方向のみであるため、セーフティーデバイス３を一層容易に装着することが可能となる。【００３７】
さらにまた、第四変形例として、図１２に示すように、セーフティーデバイス３の後端に、周方向に対向する２つのＬ字溝４０を設けるとともに、フィンガーグリップ９の嵌着部９ａの外周にＬ字溝４０と同一の幅を有する突起４１を周方向に対向するように２つ設けてもよい。この例では、セーフティーデバイス３を容器兼用注射器本体２に装着した際に、二組のＬ字溝４０と突起４１が係合してセーフティーデバイス３が容器兼用注射器本体２に固定される。なお、Ｌ字溝４０と突起４１とが、それぞれセーフティーデバイス３とフィンガーグリップ９に一つずつ設けられ、この一組のＬ字溝４０と突起４１が係合してもよい。【００３８】
この場合、まず、セーフティーデバイス３を容器兼用注射器本体２の後端側までスライドさせ、突起４１をＬ字溝４０の後端から先端側に向かって延びる部分に嵌めこむ。そして、突起４１がＬ字溝４０の先端縁に突き当たった際に、セーフティーデバイス３又は容器注射器本体２のいずれかを周方向に回転させることによってセーフティーデバイス３が固定される。なお、この変形例においては、セーフティーデバイス３にリブ２４を設ける必要はない。この変形例によれば、セーフティーデバイス３を確実に容器兼用注射器本体２に固定することができる。しかも、セーフティーデバイス３を先端側にスライドさせる際には、セーフティーデバイス３又は容器兼用注射器本体２のいずれかを、固定する場合とは逆方向に回転させることによってＬ字溝４０と突起４１の係合を解くことができる。そのため、セーフティーデバイス３を容易にスライドさせることが可能となる。【００３９】
なお、セーフティーデバイス３で注射針１０の周囲を覆うためには、セーフティーデバイス３を容器兼用注射器本体２に沿って先端側にスライドさせる必要がある。この場合、セーフティーデバイス３を容器兼用注射器本体２に対し容易にスライドさせるため、セーフティーデバイス３の内周壁４ａと容器兼用注射器本体２の外周面との間には、若干のクリアランスが設けられている。しかしながら、このクリアランスの大きさによっては、注射針１０の周囲をセーフティーデバイス３によって覆った際に、セーフティーデバイス３が左右にがたつく場合がある。本発明の第五変形例は、このがたつきを防止するためになされたものである。【００４０】
第五変形例では、図１３に示すように、セーフティーデバイス本体４の内周壁４ａのうち、外れ防止ストッパー２５の係合面２５ｂと戻り防止ストッパー２７のコの字スリット２８の後端縁との間（即ちセーフティーデバイス３で注射針１０の周囲を覆った際に容器兼用注射器本体２の係合部１３を覆う位置）に、軸線Ｏに沿って延びる複数のリブ５１が、周方向に均等に間隔を空けて径方向内側に突出して設けられている。ここで、リブ５１の突出量は、セーフティーデバイス３の内周壁４ａと容器兼用注射器本体２の外周面との間に形成されたクリアランスとほぼ同一または僅かに少なく設定されている。また、図１３では個々のリブ５１が係合面２５ｂの先端側に位置しているが、リブ５１は、係合面２５ｂと戻り防止ストッパー２７との間に設けられていれば、必ずしも係合面２５ｂの先端側に位置せずともよく、リブ５１の位置と係合面２５ｂとがずれていてもよい。また、リブ５１の個数は、複数のリブ５１が内周壁４ａの周方向にバランスよく配され、これら複数のリブ５１を介して係合部１３に支持されたセーフティーデバイス３のがたつきが防止または軽減されれば、特に限定されない。即ち、リブ５１の個数は、少なくとも３つ以上とする。リブ５１の周方向に沿った間隔も、必ずしも均等でなくてもよい。【００４１】
この例によれば、注射針１０の周囲をセーフティーデバイス３によって覆った際に、セーフティーデバイス３が複数のリブ５１を介して係合部１３に支持されるため、セーフティーデバイス３のがたつきが防止または軽減される。また、セーフティーデバイス３と係合部１３の外周面とがリブ５１の背面を介して接触するため、両者の接触面積は僅かである。しかも、リブ５１が軸線Ｏに沿って形成されているため、セーフティーデバイス３を容器兼用注射器本体２に対してスライドさせた際に容器兼用注射器本体２の外周面とリブ５１の背面との間に生じる摩擦抵抗も少ない。従って、セーフティーデバイス３を容器兼用注射器本体２に対してスライドさせる際の容易性がリブ５１の形成により損なわれることはない。【００４２】
また、以上の実施の形態に係る容器兼用注射器１においては、本発明を二室式容器兼用注射器に適用した例を示したが、本発明はこれに限らず、一室式容器兼用注射器にも適用することができる。
【産業上の利用可能性】
【００４３】
本発明に係る容器兼用注射器によれば、注射終了後の注射針をセーフティーデバイスで確実にカバーして安全に処理することが可能となる。
【図１】
2008133305.tif 000003
【図２】
2008133305.tif 000004
【図３】
2008133305.tif 000005
【図４】
2008133305.tif 000006
【図５】
2008133305.tif 000007
【図６】
2008133305.tif 000008
【図７】
2008133305.tif 000009
【図８】
2008133305.tif 000010
【図９Ａ】
2008133305.tif 000011
【図９Ｂ】
2008133305.tif 000012
【図１０】
2008133305.tif 000013
【図１１Ａ】
2008133305.tif 000014
【図１１Ｂ】
2008133305.tif 000015
【図１１Ｃ】
2008133305.tif 000016
【図１２】
2008133305.tif 000017
【図１３】
2008133305.tif 000018
【手続補正書】
【提出日】平成20年12月26日(2008.12.26)
【手続補正１】
【補正対象書類名】特許請求の範囲
【補正対象項目名】全文
【補正方法】変更
【補正の内容】
【特許請求の範囲】
【請求項１】
先端側に注射針が設けられていて薬液が充填される円筒状のシリンダと、前記シリンダの先端側に設けられた係合部と、前記シリンダの後端側に設けられたフィンガーグリップとを備えた容器兼用注射器において、
円筒形状を有し、前記シリンダの外周に摺動可能に装着され先端方向に移動した際に注射針の全域を覆うセーフティーデバイスを備え、
該セーフティーデバイスの内周壁には、先端方向に向かって前記セーフティーデバイスの内面に突出するように傾斜し、前記セーフティーデバイスが前記注射針の全域を覆う位置で前記係合部と係合し、セーフティーデバイスの先端方向への移動を阻止する外れ防止ストッパーが設けられ、
前記外れ防止ストッパーよりも前記セーフティーデバイスの先端側に形成されていて、後端方向に向かって該外周壁を拡径させるように傾斜した外周面と、該外周面の裏側に位置し前記セーフティーデバイスの内周壁と面一である内周面とを有する戻り防止ストッパーが設けられ、
前記戻り防止ストッパーの後端側と周方向両側との三方向が前記内周壁と前記外周壁とを連通するコの字スリットに囲まれて、前記戻りストッパーが径方向内側に向かって弾性変形可能とされ、
前記セーフティーデバイスの外周に押圧リングが摺動可能に装着され、この押圧リングによって前記戻り防止ストッパーの前記外周面を径方向内側に向かって押圧して、前記戻り防止ストッパーの前記内周面を後端方向に向かうにしたがって径方向内側に突出するように傾斜させ、この状態の戻り防止ストッパーが、前記セーフティーデバイスが前記注射針の全域を覆う位置で前記係合部と係合し、前記セーフティーデバイスの後端方向への移動を阻止することを特徴とする容器兼用注射器。
【請求項２】
前記セーフティーデバイスの内周壁の前記外れ防止ストッパーと前記戻り防止ストッパーとの間に、前記セーフティーデバイスの軸線に沿って延びる複数のリブが、周方向に均等に間隔を空けて径方向内側に突出して設けられていることを特徴とする請求項１に記載の容器兼用注射器。
【手続補正２】
【補正対象書類名】明細書
【補正対象項目名】０００５
【補正方法】変更
【補正の内容】
【０００５】
前記課題を解決するため、この発明は以下の手段を提案している。
即ち、本発明に係る容器兼用注射器は、先端側に注射針が設けられていて薬液が充填される円筒状のシリンダと、前記シリンダの先端側に設けられた係合部と、前記シリンダの後端側に設けられたフィンガーグリップとを備えた容器兼用注射器において、円筒形状を有し、前記シリンダの外周に摺動可能に装着され先端方向に移動した際に注射針の全域を覆うセーフティーデバイスを備え、該セーフティーデバイスの内周壁には、先端方向に向かって前記セーフティーデバイスの内面に突出するように傾斜し、前記セーフティーデバイスが前記注射針の全域を覆う位置で前記係合部と係合し、セーフティーデバイスの先端方向への移動を阻止する外れ防止ストッパーが設けられ、前記外れ防止ストッパーよりも前記セーフティーデバイスの先端側に形成されていて、後端方向に向かって該外周壁を拡径させるように傾斜した外周面と、該外周面の裏側に位置し前記セーフティーデバイスの内周壁と面一である内周面とを有する戻り防止ストッパーが設けられ、前記戻り防止ストッパーの後端側と周方向両側との三方向が前記内周壁と前記外周壁とを連通するコの字スリットに囲まれて、前記戻りストッパーが径方向内側に向かって弾性変形可能とされ、前記セーフティーデバイスの外周に押圧リングが摺動可能に装着され、この押圧リングによって前記戻り防止ストッパーの前記外周面を径方向内側に向かって押圧して、前記戻り防止ストッパーの前記内周面を後端方向に向かうにしたがって径方向内側に突出するように傾斜させ、この状態の戻り防止ストッパーが、前記セーフティーデバイスが前記注射針の全域を覆う位置で前記係合部と係合し、前記セーフティーデバイスの後端方向への移動を阻止することを特徴とする。
【手続補正３】
【補正対象書類名】明細書
【補正対象項目名】０００６
【補正方法】変更
【補正の内容】
【０００６】
通常はセーフティーデバイスの内側に突出していない戻り防止ストッパーが、押圧リングによってその外周面が径方向外側から押圧されたときのみその内周面が内側に突出する構成とされている。従って、セーフティーデバイスを容器兼用注射器本体の先端側から該容器兼用注射器本体に装着する際には、戻り防止ストッパーを内側に突出していない状態にしておくことによって、該戻り防止ストッパーが係合部に当接することはないためその移動が阻止されることはなく容易に装着することが可能となる。またこの際、外れ防止ストッパーの傾斜面が係合部に当接し、セーフティーデバイスの内周を容易に撓ませることによって、外れ防止ストッパーが係合部を速やかに乗り越えることができる。
また、押圧リングにより戻り防止ストッパー押圧した状態で、シリンダの外周に装着されているセーフティーデバイスを先端方向に移動させると、戻り防止ストッパーの後端方向に向かうにしたがって径方向内側に突出するように傾斜した内周面が係合部に接触し、該内周面が係合部によって撓んで内周を拡径させ、戻り防止ストッパーが係合部を乗り越える。セーフティーデバイスが注射針を完全に覆う位置まで移動すると、外れ防止ストッパーと係合部が係合しセーフティーデバイスのそれ以上の先端方向への移動が阻止される。この状態でセーフティーデバイスを後端方向へ移動させようとしても、戻り防止ストッパーと係合部とが係合するためその移動は阻止される。すなわち、一旦セーフティーデバイスによって注射針が覆われれば、係合部が外れ防止ストッパー及び戻り防止ストッパーによって両側から固定されるために、セーフティーデバイスが完全に固定され、セーフティーデバイスが容器兼用注射器から外れたり、後端方向に移動して注射針が露出したりすることはない。
【手続補正４】
【補正対象書類名】明細書
【補正対象項目名】０００７
【補正方法】変更
【補正の内容】
【０００７】
また、本発明に係る容器兼用注射器においては、前記セーフティーデバイスの内周壁の前記外れ防止ストッパーと前記戻り防止ストッパーとの間に、前記セーフティーデバイスの軸線に沿って延びる複数のリブが、周方向に均等に間隔を空けて径方向内側に突出して設けられていてもよい。
【手続補正５】
【補正対象書類名】明細書
【補正対象項目名】０００８
【補正方法】変更
【補正の内容】
【０００８】
これによれば、注射針の周囲をセーフティーデバイスで覆った際に、セーフティーデバイスが複数のリブを介して係合部に支持されるため、セーフティーデバイスのがたつきが防止又は軽減される。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正書】
【提出日】平成21年4月7日(2009.4.7)
【手続補正１】
【補正対象書類名】特許請求の範囲
【補正対象項目名】全文
【補正方法】変更
【補正の内容】
【特許請求の範囲】
【請求項１】
先端側に注射針が設けられていて薬液が充填される円筒状のシリンダと、前記シリンダの先端側に設けられた係合部と、前記シリンダの後端側に設けられたフィンガーグリップとを備えた容器兼用注射器において、
円筒形状を有し、前記シリンダの外周に摺動可能に装着され先端方向に移動した際に注射針の全域を覆うセーフティーデバイスを備え、
該セーフティーデバイスの内周壁には、先端方向に向かって前記セーフティーデバイスの内面に突出するように傾斜し、前記セーフティーデバイスが前記注射針の全域を覆う位置で前記係合部と係合し、セーフティーデバイスの先端方向への移動を阻止する外れ防止ストッパーが設けられ、
前記外れ防止ストッパーよりも前記セーフティーデバイスの先端側に形成されていて、後端方向に向かって該外周壁を拡径させるように傾斜した外周面と、該外周面の裏側に位置し前記セーフティーデバイスの内周壁と面一である内周面とを有する戻り防止ストッパーが設けられ、
前記戻り防止ストッパーの後端側と周方向両側との三方向が前記内周壁と前記外周壁とを連通するコの字スリットに囲まれて、前記戻りストッパーが径方向内側に向かって弾性変形可能とされ、
前記セーフティーデバイスの外周に押圧リングが摺動可能に装着され、この押圧リングによって前記戻り防止ストッパーの前記外周面を径方向内側に向かって押圧して、前記戻り防止ストッパーの前記内周面を後端方向に向かうにしたがって径方向内側に突出するように傾斜させ、この状態の戻り防止ストッパーが、前記セーフティーデバイスが前記注射針の全域を覆う位置で前記係合部と係合し、前記セーフティーデバイスの後端方向への移動を阻止し、
さらに、前記セーフティーデバイスの内周壁の前記外れ防止ストッパーと前記戻り防止ストッパーとの間に、前記セーフティーデバイスの軸線に沿って延びる複数のリブが、周方向に均等に間隔を空けて径方向内側に突出して設けられていることを特徴とする容器兼用注射器。
【手続補正２】
【補正対象書類名】明細書
【補正対象項目名】０００５
【補正方法】変更
【補正の内容】
【０００５】
前記課題を解決するため、この発明は以下の手段を提案している。
即ち、本発明に係る容器兼用注射器は、先端側に注射針が設けられていて薬液が充填される円筒状のシリンダと、前記シリンダの先端側に設けられた係合部と、前記シリンダの後端側に設けられたフィンガーグリップとを備えた容器兼用注射器において、円筒形状を有し、前記シリンダの外周に摺動可能に装着され先端方向に移動した際に注射針の全域を覆うセーフティーデバイスを備え、該セーフティーデバイスの内周壁には、先端方向に向かって前記セーフティーデバイスの内面に突出するように傾斜し、前記セーフティーデバイスが前記注射針の全域を覆う位置で前記係合部と係合し、セーフティーデバイスの先端方向への移動を阻止する外れ防止ストッパーが設けられ、前記外れ防止ストッパーよりも前記セーフティーデバイスの先端側に形成されていて、後端方向に向かって該外周壁を拡径させるように傾斜した外周面と、該外周面の裏側に位置し前記セーフティーデバイスの内周壁と面一である内周面とを有する戻り防止ストッパーが設けられ、前記戻り防止ストッパーの後端側と周方向両側との三方向が前記内周壁と前記外周壁とを連通するコの字スリットに囲まれて、前記戻りストッパーが径方向内側に向かって弾性変形可能とされ、前記セーフティーデバイスの外周に押圧リングが摺動可能に装着され、この押圧リングによって前記戻り防止ストッパーの前記外周面を径方向内側に向かって押圧して、前記戻り防止ストッパーの前記内周面を後端方向に向かうにしたがって径方向内側に突出するように傾斜させ、この状態の戻り防止ストッパーが、前記セーフティーデバイスが前記注射針の全域を覆う位置で前記係合部と係合し、前記セーフティーデバイスの後端方向への移動を阻止し、さらに、前記セーフティーデバイスの内周壁の前記外れ防止ストッパーと前記戻り防止ストッパーとの間に、前記セーフティーデバイスの軸線に沿って延びる複数のリブが、周方向に均等に間隔を空けて径方向内側に突出して設けられていることを特徴とする。
【手続補正３】
【補正対象書類名】明細書
【補正対象項目名】０００６
【補正方法】変更
【補正の内容】
【０００６】
通常はセーフティーデバイスの内側に突出していない戻り防止ストッパーが、押圧リングによってその外周面が径方向外側から押圧されたときのみその内周面が内側に突出する構成とされている。従って、セーフティーデバイスを容器兼用注射器本体の先端側から該容器兼用注射器本体に装着する際には、戻り防止ストッパーを内側に突出していない状態にしておくことによって、該戻り防止ストッパーが係合部に当接することはないためその移動が阻止されることはなく容易に装着することが可能となる。またこの際、外れ防止ストッパーの傾斜面が係合部に当接し、セーフティーデバイスの内周を容易に撓ませることによって、外れ防止ストッパーが係合部を速やかに乗り越えることができる。
また、押圧リングにより戻り防止ストッパー押圧した状態で、シリンダの外周に装着されているセーフティーデバイスを先端方向に移動させると、戻り防止ストッパーの後端方向に向かうにしたがって径方向内側に突出するように傾斜した内周面が係合部に接触し、該内周面が係合部によって撓んで内周を拡径させ、戻り防止ストッパーが係合部を乗り越える。セーフティーデバイスが注射針を完全に覆う位置まで移動すると、外れ防止ストッパーと係合部が係合しセーフティーデバイスのそれ以上の先端方向への移動が阻止される。この状態でセーフティーデバイスを後端方向へ移動させようとしても、戻り防止ストッパーと係合部とが係合するためその移動は阻止される。すなわち、一旦セーフティーデバイスによって注射針が覆われれば、係合部が外れ防止ストッパー及び戻り防止ストッパーによって両側から固定されるために、セーフティーデバイスが完全に固定され、セーフティーデバイスが容器兼用注射器から外れたり、後端方向に移動して注射針が露出したりすることはない。
さらに、注射針の周囲をセーフティーデバイスで覆った際に、セーフティーデバイスが複数のリブを介して係合部に支持されるため、セーフティーデバイスのがたつきが防止又は軽減される。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【国際調査報告】
2008133305.tif 000019
2008133305.tif 000020
2008133305.tif 000021
2008133305.tif 000022
2008133305.tif 000023
2008133305.tif 000024